Podtech/llm-jp-corpus-v4-ja_patent huggingface dataset:
(57)【要約】【課題】米のとぎ汁や野菜を洗った水などは、花壇や畑のまき水にするため、流し台の近くにバケツなど持ってきて、バケツにあけては花壇まで運んでいた。重いだけでなく流し台からバケツにあける時、ぽたぽた水がこぼれ縁板がぬれて難儀であった。また少ない流し水は面倒だからリサイクルできるのに捨てていた。【解決手段】リサイクル出来るすべての水を運ぶことなく、同じ流し台か流せることで、簡単に庭まで水が行き高齢者にはうれしい。又流しからバケツにうつす時のこぼれ水もなく、すべての水のリサイクルが出来楽になった。【選択図】図１
2004052517.tif 000002
【特許請求の範囲】
【請求項１】
流しの一部をメッシュ（網）又は小さい丸を沢山あけ、その下にジョウゴ形の排水管をもうけ、ホースにて花壇まで運びまき水を貯める装置。
【発明の詳細な説明】
【０００１】
【発明に属する技術分野】
米のとぎ汁や洗剤を使わない時の流し水など、花壇や畑にリサイクル出来る流し水が、いちいち運ぶことなく必要なところで貯めることの出来る発明。
【０００２】
【従来の技術】
米のとぎ汁や野菜を洗った水など花壇や畑のまき水にするため、流し台の近くにバケツなど持ってきて、バケツにあけては花壇まで運んでいた。重いだけでなく流しからバケツにあける時、ぽたぽた水が落ち縁板が水で随分ぬれて難儀であった。又少ない流し水はめんどうだから、リサイクルできるのに捨てている。
【０００３】
【発明が解決しようとする課題】
何度も流しで使う水道水の中には、きれいなまま捨てている水が多すぎます。リサイクル出来るすべての水を手で運ぶ事なく、花壇まで運べないかと考えた。
【０００４】
【課題を解決しようとする手段】
米とぎの時など一度に沢山の捨て水が出る時は、バケツを持ってきてリサイクルしますが、何度も少しずつ流す水まで、いちいち花壇や畑に運ぶ事は出来ないので、運ばず簡単にすべての水がリサイクルできるようにと考え、リサイクル出来る水だけ、流しからもう一本の排水管を設けることを考えた。
【０００５】
【発明の実地の形態】
流しのどこか一部（図１参照）を１のように網にするか又は丸い穴を沢山あけることにした。洗剤を使った時の「花壇や畑につかえない水」は、図２の「ふた」をしておく。２のジョウゴ形の配管は流しに固定する。自由のきく３の配水管は従来の配水管６と平行して設置し、洗濯機の排水管のように個々の家の事情に合わせ床下又は床上に出口を設置し、ホース４で８の貯めおけにつなぐ。
【０００６】
８の排水貯めおけの水は、上からバケツで汲んだり、風呂桶のように底に排水の穴１１をもうけて紐のついた９の栓をぬいて４のホースで水を使用する。
落差のない時はホースは使用できない時もある。さの時は大きめのバケツで受けるようにする。
【０００７】
【実地例】
手洗いや野菜を洗った水は洗い桶に受けて１から流す。２と３の排水管を通り１５の出口に出る。５の金物で４のホースにつなぐそして８の排水貯め桶で貯めバケツかジョロで汲む。又は９の栓を抜いて１４の出口にホースをつないで直接花に水をやることもできる（但し落差のない時はホースではできない）。
【０００８】
【発明の効果】
リサイクル出来るすべての水を運ぶことなく、同じ流しから流せることで、簡単に庭まで水が行き高齢者にはうれしい。又流しからバケツに移す時のこぼれ水もなく、すへての水のリサイクルが出来楽になった。
【図面の簡単な説明】
【図１】流し台。
【図２】新しく設置したリサイクルできる排水の貯め場。
【図３】１のリサイクル水の取り込み口のふた。
【符号の説明】
１　　　　流しの中の一部にもうけたリサイクルできる水の取り入れ口で丸い穴を沢山あけるか。又は網にしたところ。
２　　　　１から流れる排水を受けるジョウゴ。ここは流しに固定する。
３　　　　リサイクルする水の配水管ホース。自由に動く素材にし必要な位置の出口に動くようにする。
４　　　　３の配管ホースから８の桶までのホース。
５　　　　配管とホースをつなぐ金物。
６　　　　従来の無排水。
７　　　　ごみ入れ籠。
８　　　　１から流した排水が、配管とホースを通りたまるおけ。
９　　　　底の穴の栓
１０　　　栓をつなぐくさり
１１　　　底の穴
１２　　　１のふた
１３　　　パッキンゴム
１４　　　８のおけの下の出口
【図１】
2004052517.tif 000003
【図２】
2004052517.tif 000004
【図３】
2004052517.tif 000005
(57)【要約】【課題】自然エネルギーと雨水を回収して照明・通信用電力および散水用に利用し，省エネルギーと節水および地域の景観リソースと情報インフラストラクチャーの充実に寄与することを特徴とする公共的ストリートファニチャ【解決手段】この発明は上記の目的を達成するために，太陽電池，風力発電装置，蓄電装置，照明装置，無線ＬＡＮアクセスポイント，雨水の収集・貯蔵装置を一体とした公共ストリートファニチャを提供するものである．【選択図】　図１
2004052511.tif 000002
【特許請求の範囲】
【請求項１】
自然エネルギーと雨水とを収集および貯蔵する機能を有するストリートファニチャ
【請求項２】
太陽電池あるいは風力発電装置あるいはその両者と蓄電装置と雨水タンクとを一体化したストリートファニチャ．
【請求項３】
蓄電装置からの電力で動作する照明装置を一体化した請求項１および請求項２記載のストリートファニチャ．
【請求項４】
蓄電装置からの電力で動作する無線ＬＡＮアクセスポイントを内蔵することを特徴とし，インターネットおよびＬＡＮへのアクセス機能を有することを特徴とする請求項１および請求項２および請求項３記載のストリートファニチャ．
【発明の詳細な説明】
【０００１】
【発明の属する技術分野】
この発明は，自然エネルギーと雨水を有効に利用し，地域の景観リソースの向上を主な目的としたストリートファニチャに関する．
【０００２】
【従来の技術】
エコロジーという言葉が一般に浸透し，省エネルギー，省資源への関心が高まるに伴い，環境配慮型製品が多く提案されてきている．とくに，電気エネルギーと水資源は我々の生活の依存度が高いため，環境への関心が現在ほどに高まるよりも以前から，省電力と節水は重要な問題であった．近年，自然エネルギーを駆動源とした製品が増え，太陽電池を備えた街灯や庭園灯や門灯などが普及し始めている．また，節水を目的として，個人規模の雨水の有効利用が国内各地で行われ始めている．
【０００３】
しかし，これらの自然エネルギー利用技術および装置は，エコロジーや環境問題に関心の高い一部の人々が利用し始めているに過ぎず，まだまだ広く普及した技術とはなり得ていない面がある．
【０００４】
【発明が解決しようとする課題】
本発明は，自然エネルギーと雨水を回収して利用して，省エネルギーと節水を図りながら地域の景観・観光・情報リソースの充実に寄与する公共的ストリートファニチャを提案するものである．
【０００５】
【課題を解決するための手段】
この発明は上記の目的を達成するために，太陽電池，風力発電装置，蓄電装置，照明装置，無線ＬＡＮアクセスポイント，雨水の収集・貯蔵設備を一体することにより，人工的なエネルギー供給なしに上記の課題を解決する手段を提供するものである．
【０００６】
【発明の実施と形態】
本発明の一実施形態の概要図を図１に示す．晴天時は，太陽電池により太陽光エネルギーを電力へ変換し，その電力を蓄電池あるいは電気二重層キャパシタなどの蓄電装置に蓄えて，無線しＬＡＮアクセスポイントの電源および照明として使用する．一方，雨天時は太陽電池アレイ上に降った雨水を太陽電池アレイの傾斜を利用して集め，雨水タンクへ貯蔵して晴天時の植栽や舗道への散水に使用する．風力発電装置を追加して，自然エネルギーの回収能力をさらに高めることも可能である．
【発明の効果】
多数の人の集まる公共施設や観光地において，本発明による自然エネルギーを積極的に利用した環境利用型ストリートファニチャを設置することにより，公共施設や観光地の照明用電力使用量を削減し，ＣＯ２排出量の低減に貢献することができる．また，雨水を貯蔵して晴天時には植栽や舗道等への散水に利用することで，貴重な水資源の節約につながる．さらに，無線ＬＡＮアクセスポイントを内蔵させることによりインターネットへのブロードバンドアクセスが可能になり，公共施設の利便性や観光地のリソース価値を高め，地域の振興に大きく寄与する．ひいては，人々のエコロジーに対する意識改革の端緒ともなりうるものである．
【図面の簡単な説明】
【図１】・・・本発明の一実施例概観図
【図１】
2004052511.tif 000003
(57)【要約】【課題】ワイヤーネット工における季節の温度差によるワイヤーロープの伸縮の弊害の解消。【解決手段】温度差によるワイヤーロープの伸縮のため年数を経るたびに、転石、抜け石等の法面への押し付け効果が無くなっていたが、ワイヤーロープと座金の間に弾性体を取り付けワイヤーロープに安定した緊張力を与えることにより転石、抜け石等の法面への押し付け効果が持続する。またワイヤーロープを複数アンカーを経由して施工することにより法面の崩壊防止の効果が増大する。【選択図】　図１
2004052476.tif 000002
【特許請求の範囲】
【請求項１】
ワイヤーロープの交点にアンカーを施工して、転石防止及び法面崩壊防止をはかる工法において、ワイヤーロープが季節による温度差で伸縮し、ワイヤーロープの緩み又は過度の緊張が起こるのをワイヤーロープの交点に設置したアンカーに取り付けた弾性体で調整する機能を持たせたワイヤーネット工法
【請求項２】
ワイヤーロープを固定する目的に使用するアンカー用の座金で温度差によりワイヤーロープに発生する伸縮を吸収する目的で、その構造自体に弾性効果を持たせるか、別途弾性体を取付けてワイヤーロープに発生する伸縮を吸収させる構造の座金。
【請求項３】
アンカーを経由するワイヤーロープを図１のように複数施工し、転石、抜け石等の法面への押え付け及び法面崩壊防止効果を増大させた構造。
【発明の詳細な説明】
【０００１】
【産業上の利用分野】
土木工事における転石防止及び法面崩壊防止。
【０００２】
【従来の技術】
ワイヤーロープを格子状に架設してその交点と、その端部にアンカーを打ち込み、ワイヤーロープの張力にて法面に転石、抜け石等を押し付け落石の防止及び法面の崩壊を防止している。
【０００３】
【発明が解決しようとする課題】
ワイヤーロープの架設時は５００ｋｇ程度の張力をワイヤーロープに与え、転石、抜け石等を法面に確実に固定しているが、夏冬の温度差でワイヤーロープが伸縮し、ワイヤーロープが転石、抜け石等を法面に押し付ける役をなさなくなる。夏場の気温が高くなったときはワイヤーロープが緩むので緊張しなければならないが、冬場はワイヤーロープが縮むので緊張を緩めなくてはならない。もし、夏場に緊張し冬場に緩めないと夏場のワイヤーロープの緩んだときに、転石、抜け石等がワイヤーロープにならって前方に張り出し、冬場にはワイヤーロープが縮もうとするが、転石、抜け石等を元の位置まで押し戻せなくてワイヤーロープ自体が伸びきってしまったり、その取り付け部が緩んだりしていた。
【０００４】
【課題を解決するための手段】
座金でワイヤーロープを固定する場合に座金とワイヤーロープの間に弾性体を取り付け、夏場の施工にあっては冬場の収縮を考慮して弾性体の収縮代を確保して施工し、冬場の施工にあっては夏場のワイヤーロープの伸長率を考慮して弾性体の伸び代を確保して施工する。
【０００５】
【発明の効果】
温度差によるワイヤーロープの伸縮のため年数を経るたびに、転石、抜け石等の法面への押し付け効果が無くなっていたが、ワイヤーロープと座金の間に弾性体を取り付けワイヤーロープに安定した緊張力を与えることにより転石、抜け石等の法面への押し付け効果が持続する。またワイヤーロープを複数アンカーを経由して施工することにより法面の崩壊防止の効果が増大する。
【図面の簡単な説明】
【図１】本件施工図
【図２】Ａ−Ａ′断面図
【図３】Ｂ−Ｂ′断面図
【図４】ワイヤーロープが縮んだ時の状況図
【図５】ワイヤーロープが伸びた時の状況図
【図１】
2004052476.tif 000003
【図２】
2004052476.tif 000004
【図３】
2004052476.tif 000005
【図４】
2004052476.tif 000006
【図５】
2004052476.tif 000007
(57)【要約】【課題】受口を備えたタイプの棒杆支持具であって、一つの品種で左右兼用できる新しい機能を備えた棒杆支持具を提供する。【解決手段】長尺の棒杆１の端部を受け入れる横向きの受口３を備えた受部材２と、垂直な壁面に固定される支持部材４とからなり、前記受部材２は支持部材４に対して縦軸の周りで取り付け角度変更可能に保持されており、これにより受口３の向きを縦軸の周りで変更できるように形成されている構造とした。このような構造とすることにより支持部材４に対する受部材２の取り付け角度を変更させてこれの受口３の向きをかえることにより一つの品種で左右兼用して使用することができるようにした。【選択図】　　　　図１
2004052431.tif 000002
【特許請求の範囲】
【請求項１】
手摺りとなる長尺の棒杆（１）の端部を受け入れる横向きの一つの受口（３）を備えた受部材（２）と、垂直な壁面に固定される支持部材（４）とからなり、前記受部材（２）は支持部材（４）に対して縦軸の周りで取り付け角度変更可能に保持されており、これにより受口（３）の向きを縦軸の周りで変更できるように形成されている手摺りの棒杆支持具。
【請求項２】
手摺りとなる長尺の棒杆（１）の端部を受け入れる横向きの二つの受口（３）、（３）を備えた受部材（２）と、垂直な壁面に固定される支持部材（４）とからなり、前記受部材（２）の二つの受口（３）、（３）は互いに直角な外向きの方向に向かって開口されており、更に前記受部材（２）は支持部材（４）に対して縦軸の周りで取り付け角度変更可能に保持されており、これにより受口（３）の向きを縦軸の周りで変更できるように形成されているる手摺りの棒杆支持具。
【発明の詳細な説明】
【０００１】
【発明が属する技術分野】
本発明は、階段や廊下等の壁面に取り付けられる手摺りの棒杆支持具に関するものである。
【０００２】
【従来の技術】
従来、手摺りの棒杆はその両端部分で垂直な壁面にビス止めされた棒杆支持具により保持されている。この棒杆支持具は棒杆を下面から受け止めるタイプのものと、棒杆の端部を受け入れる受口を備えたタイプのものがあった。
【０００３】
【発明が解決しようとする課題】
しかし後者の受口を備えたタイプのものは当然右用と左用のものを必要とするため、品種が増えてそれだけ取り扱いや管理が煩雑となると共に、トータルコストが高くつくといった問題点があった。そこで本発明は後者の受口を備えたタイプの棒杆支持具であって、一つの品種で左右兼用できる新しい機能を備えた棒杆支持具を提供し、以って上記問題点の解決を図ることを主たる目的とするものである。
【０００４】
【課題を解決するための手段】
上記目的を達成する為に本発明では次のような技術的手段を講じた。即ち、本発明にかかる手摺りの棒杆支持具にあっては、長尺の棒杆１の端部を受け入れる横向きの一つの受口３を備えた受部材２と、垂直な壁面に固定される支持部材４とからなり、前記受部材２は支持部材４に対して縦軸の周りで取り付け角度変更可能に保持されており、これにより受口３の向きを縦軸の周りで変更できるように形成されている構造とした。このような構造とすることにより支持部材４に対する受部材２の取り付け角度を変更させてこれの受口３を右方向又は左方向にむけることにより、左右兼用して使用することができる。
【０００５】
また本発明では、棒杆１の端部を受け入れる横向きの二つの受口３、３を備えた受部材２と、垂直な壁面に固定される支持部材４とからなり、前記受部材２の二つの受口３、３は互いに直角な外向きの方向に向かって開口されており、更に前記受部材２は支持部材４に対して縦軸の周りで回動可能に保持されていり、これにより受口３の向きを縦軸の周りで変更できるように形成されている構造も特徴とする。このような構造とすることにより支持部材４に対する受部材２の取り付け角度を変更させてこれの受口３の向きを変えることにより、コーナー用の棒杆支持具として左右兼用して使用することができる。
【０００６】
【発明の実施の形態】
以下本発明にかかる手摺りの棒杆支持具について説明する。図１および図２は本発明の第１の実施例を示すものであって、長尺の棒杆１の端部を受け入れる横向きの一つの受口３を備えた受部材２と、垂直な壁面若しくは壁面に貼着された桟Ａにビス穴９を介してビス止めされる支持部材４とからなる。前記受部材２は下面に下方に突出する四角柱状の軸５が設けられ、この軸５が、支持部材４の先端部に設けられた四角形の穴６に着脱自在に挿入されている。従って、穴６に対する軸部材５の差込み方向を変えることにより、受口３の向きを軸５の回転方向に４５°ずつ変更することができる。
【０００７】
本実施例において、前記軸５は固定ビス７によって受部材２に着脱自在に固定され、該固定ビス７の頭部を含む受部材２の下方部分がカバー８でカバーされている。
【０００８】
上記の如く構成された棒杆支持具は、支持部材４に対する受部材２の取り付け角度をかえることにより、図２に示す如く一つの品種で棒杆１の両端を受ける右用と左用とに兼用して使用することができる。
【０００９】
図３並びに図４は本発明の別の実施例を示すものであって、受部材２が棒杆１の端部を受け入れる横向きの二つの受口３、３を備えており、該受口３、３がエルボのように互いに直角な外向きの方向に向かって開口されている。その他の構成は上記第１実施例と同じである。この実施例で示した棒杆支持具は図４に示すようにコーナーで直角に交わる２本の棒杆１，１の端部を支持するのに使用されるものであって、この場合も支持部材４に対する受部材２の取り付け角度をかえることにより、一つの品種で左右兼用して使用することができる。
【００１０】
以上本発明の一実施例について説明したが、本発明は必ずしもこれらの実施例構造のみに限定されるものではない。例えば軸５並びにこれを受け入れる穴６の形状を横断面真円形として互いに回転可能に形成してもよい。その他本発明ではその構成要件を備え、かつ本発明の目的を達成し、下記の効果を奏する範囲内において適宜改変して実施することができるものである。
【００１１】
【発明の効果】
本発明は上記の如く構成したものであるから、支持部材に対する受部材の取り付け角度を変更させてこれの受口の向きを変えることにより、一つの品種で左右兼用して使用することができ、商品管理や取り扱いの簡素化ができてトータルコストの低減化を図ることができるといった効果がある。
【図面の簡単な説明】
【図１】本発明に係る棒杆支持具の第１の実施例を示す分解斜視図。
【図２】上記棒杆支持具の使用例を示す斜視図。
【図３】本発明に係る棒杆支持具の別の実施例を示す分解斜視図。
【図４】図３で示した棒杆支持具の使用例を示す斜視図。
【符号の説明】
１　棒杆
２　受部材
３　受口
４　支持部材
５　軸
６　穴
【図１】
2004052431.tif 000003
【図２】
2004052431.tif 000004
【図３】
2004052431.tif 000005
【図４】
2004052431.tif 000006
(57)【要約】【課題】老人や子供が階段の昇降がとても不自由なので、それを緩和させるような、バリアフリーの段差解消器具を提供するのが目的である。【解決手段】合板１やゴム状のシート２の表面に滑り止めの四つ葉の優しいデザイン４を施し、さらに、昇降がしやすいように足をかける部分の先を斜めにカットしてそこに、蛍光塗料を塗り３、夜は光って良く目立つ工夫を配慮した。さらに、簡単な磁石５を埋め込み、薄い鉄の板に両面テープをつけて、階段に貼り付けることにより、簡単に取り付けができ、接着力を強化させている。【選択図】　　　　図１
2004052490.tif 000002
【特許請求の範囲】
【請求項１】
老人や子供が階段の昇降をする時に、段差を半分に出来、滑らないような工夫が施された段差解消器具であり、木製の合板に磁石をつけた簡単な方法で容易に従来の階段に取り付けが可能な器具を提供する。
【請求項２】
上記請求項１に関して、その合板の表面にゴム状のシートをつけ、昇降する際に足が楽に動くように斜めにカットして、そこに蛍光塗料を塗り、夜は光って、足元が良く見える工夫がされた段差解消器具。
【請求項３】
上記請求項２に関して、さらにその合板の表面のゴムシート状に四つ葉のデザインの彫りこみをして、滑り止めの効果と、見た目にも優しく、美しいデザイン性にも優れたインテリア効果を付加した段差解消器具。
【発明の詳細な説明】
【０００１】
【発明が属する技術分野】
本発明は、合板の上にゴム等の表面に滑り止めの彫りこみを入れた段差解消器具に関するものである。
【０００２】
【従来の技術】
従来の階段は、老人や子供の足にとっては、かなりきつい段差のある転倒の可能性のある危険な場所とも言えた。
【０００３】
【発明が解決しようとする課題】
本発明は、従来の階段が老人や子供の足にとっては、かなりきつい段差のあることにより足を踏みはずす危険性をもつという欠点をなくすために、階段の段差を半分にして、表面に滑り止め用のゴムを貼り付け、さらに、夜にはその端が良く見えるように蛍光塗料を塗り、危険性を防止する用具を提供するものである。
【０００４】
【課題を解決するための手段】
階段の段差をその高さや大きさに応じて調整可能なように、素材を木の合板１として、その上にゴム状のシート２を貼り付けた。そのゴム状のシート２には、老人や子供に優しいイメージの四つ葉のデザイン４を彫り込んで滑り止めに効果のあるように工夫を凝らしている。さらに、上下の段から昇り降りする時に、脚が楽に登れるように斜めにカット３してそこに蛍光塗料を塗り、夜光るような工夫もこらしている。
【０００５】
【発明の実施の形態】
以下に本発明の実施の形態について説明する。合板１の上にゴム状のシート２を貼り、また、ゴム状のシートのところに老人や子供に優しいイメージの四つ葉のデザイン４を彫り込んで滑り止めの効果とゴムで階段の衝撃をー緩和する効果をもつ。さらに、段差を足により負担をかけずに昇り降りが可能なように斜めにカット３を入れて、特に危険な夜には、光って見えるように蛍光塗料を塗っている。また、従来の階段に容易に取り付けが可能なように、合板の中に磁石５を埋め込み、これと階段と触れるところに鉄の薄いものを両面テープで階段側に貼り付けることにより、しっかりと動かないように固定させることができる。実際に使用時には、ＡーＢ―Ｃ―Ｄ―Ｅ―Ｆ―Ｇのようにして半分づつ階段を昇降していく。
【０００６】
【発明の効果】
以上説明したように本発明を使用することによって、従来の階段の昇降が困難な老人や子供がより足に負担のかからない補助器具として容易に従来の階段に取り付け可能になる効果も生まれた。
さらに、この合板の表面にゴム状のシートを貼り、その表面上に四つ葉のデザインを施すことにより、見た目にもとても優しくインテリア的な効果がある。何よりもゴムが、階段の滑り止めを防止してくれる。
また、材料として木の再生品利用が可能なため、従来の機器と比較してもかなりのコストダウンに役立つ。夜になると、ゴム状のところが光って、安全性により注意を払われている。
取り付けは、１セットの磁石（合板に埋め込んだもの）と両面テープを貼った鉄の小さな板状のもので簡単に取り付けが可能である。家の階段のみならず、公共の駅や百貨店の階段等にも応用が可能なため、広く今後の高齢化社会に向けてのバリアフリー商品として、役立てることが可能である。
【図面の簡単な説明】
【図１】本発明の正面図。
【図２】本発明の断面図。
【図３】本発明を使用した例の説明図である。
【符号の説明】
１　　合板
２　　ゴム状のシート
３　　斜めにカットして蛍光塗料を塗ったゴム状シート
４　　四つ葉の彫り込みデザイン
５　　磁石
【図１】
2004052490.tif 000003
【図２】
2004052490.tif 000004
【図３】
2004052490.tif 000005
(57)【要約】【課題】床下換気口の換気を三方方向からの風を効率良く取り入れる事の出来る床下換気口ユニットを提供する。【解決手段】フード部（１）仕切り板（２）を設け床下に風を導くことを特徴とする。【選択図】　　　図２
2004052444.tif 000002
【特許請求の範囲】
【請求項１】
床下換気口にフード部（１）仕切り板（２）網（３）を備ていることを特徴とする、床下換気口ユニット。
【発明の詳細な説明】
【０００１】
【発明が属する技術分野】
この発明は床下換気口に関するもので、自然換気を有効に行える床下換気口ユニットである。
【０００２】
【従来の技術】
従来の換気口（図３）は左右方向の流れの風はほとんど床下に取り込まない。
【０００３】
【発明が解決しようとする課題】
従来の自然換気の換気口は前に建物、塀等があればまったく換気を果たさない、又左右方向の流れの風もほとんど取り込まない。
【０００４】
【発明の実施の形態】
この床下換気口ユニット（図２）はフード部（１）仕切り板（２）網（３）を設け、床下換気口に取り付けて使用。
【０００５】
【発明の効果】
この床下換気口ユニット（図２）を使用することによって三方方向からの風を床下に取り込む事が出来る。
【図面の簡単な説明】
【図１】実施例の斜視図
【図２】平面図
【図３】従来の換気口
【符号の説明】
１　フード部
２　仕切り板
３　網
４　風の方向
５　建物の基礎
【図１】
2004052444.tif 000003
【図２】
2004052444.tif 000004
【図３】
2004052444.tif 000005
(57)【要約】【課題】模様や寸法、形状において様々なバリエーションが楽しめるサイディングパネルの施工方法を提供する。【解決手段】模様、寸法及び面形状を自在としたサイディングパネル片を、建築物の外壁コーナーに張り合わせる。また、同様に、模様、寸法及び面形状を自在としたサイディングパネル片を、建築物の内壁コーナーに張り合わせる。【選択図】　図２
2004052500.tif 000002
【特許請求の範囲】
【請求項１】
建築物の外壁コーナーにサイディングパネルを接着するサイディングパネルの施工方法において、
模様、寸法及び面形状を自在としたサイディングパネル片を、上記外壁コーナーに張り合わせることを特徴とする、サイディングパネルの施工方法。
【請求項２】
模様、寸法及び面形状を自在としたサイディングパネル片を、建築物の内壁コーナーに張り合わせることを特徴とする、サイディングパネルの施工方法。
【発明の詳細な説明】
【０００１】
【発明の属する技術分野】
本発明は、建築物におけるサイディングパネルの施工方法に関する。
【０００２】
【従来の技術】
家屋等の建築物を建設する場合、この家屋の外壁のコーナーを風水等から保護するために、図５（ａ）に示すようなサイディングパネル７を、上記外壁のコーナーに接着することが多い。
【０００３】
即ち、Ｌ字型柱状のサイディングパネル７を、家屋の外壁の高さに応じて必要な長さだけ切断し、図５（ｂ）に示すように上記外壁のコーナーに接着するのである。
【０００４】
【発明が解決しようとする課題】
しかし、従来のサイディングパネルは、大量生産の下、模様や寸法が画一的なものしか提供されていない。特に、上記したように、Ｌ字型柱状のサイディングパネルを切断して用いるので、一つの外壁コーナーにおいては、サイディングパネルの模様は一様とならざるを得ない。
【０００５】
本発明はこのような事情に鑑みてなされたものであり、模様や寸法、形状において様々なバリエーションが楽しめるサイディングパネルの施工方法を提供することを目的とする。
【０００６】
【課題を解決するための手段】
上記目的を達成するために、本発明では次のような手段を採用している。
【０００７】
即ち、図１に示すような、模様、寸法及び面形状を自在としたサイディングパネル片を、図２に示すように、建築物の外壁コーナーに張り合わせる。これにより、サイディングパネルの外観に様々なバリエーションを持たせることができる。
【０００８】
本発明ではまた、上記サイディングパネル片を建築物の外壁のみならず、内壁にも適用することを提案する。即ち、模様、寸法及び面形状を自在としたサイディングパネル片を、建築物の内壁コーナーに張り合わせる。これにより、家屋等の内装においても様々なバリエーションが楽しめるようになる。
【０００９】
【発明の実施の形態】
以下、本発明の実施の形態について、図面を参照しながら詳細に説明する。
【００１０】
図１（ａ），（ｂ）は本発明の施工方法に使用するサイディングパネル片の例である。これらは一例に過ぎず、模様、寸法及び面形状は自在であり、底面から見た内面Ｅが図１（ｃ）に示すようなＬ字型であって凹凸が無く、家屋等建築物の外壁コーナーに接着可能でありさえすればよい。外面Ｆの凹凸は模様として自在に設けてよい。
【００１１】
図２は、図１に示したようなサイディングパネル片１，２，３を、家屋の外壁コーナーに張り合わせた、一実施の形態である。このように、サイディングパネルの外観に様々なバリエーションを持たせることができる。
【００１２】
これに対し、図３は、底面から見た内面Ｅ’に模様を付し、外面Ｆ’をＬ字型凹凸無しで接着可能とした（図３（ｃ））サイディングパネル片の例である（図３（ａ），（ｂ））。図４に示すように、これらのサイディングパネル片４，５，６を家屋等の内壁コーナーに張り合わせ、インテリアのバリエーションを楽しむことができる。図１の場合と同様に、これらは一例に過ぎず、模様、寸法及び面形状は自在である。
【００１３】
以上のように、内壁においても、様々なサイディングパネルのバリエーションを楽しむことができる。また、特に組み立て式家屋などにおいては、本発明に従ってサイディングパネルを内壁と外壁の双方に施工すると、家屋の耐震強度を上げることも可能となる。
【図面の簡単な説明】
【図１】本発明の施工方法に使用する外壁用サイディングパネル片の例
【図２】本発明の外壁への一実施の形態
【図３】本発明の施工方法に使用する内壁用サイディングパネル片の例
【図４】本発明の内壁への一実施の形態
【図５】従来のサイディングパネル及びその施工方法
【符号の説明】
１，２，３　外壁用サイディングパネル片
４，５，６　内壁用サイディングパネル片
【図１】
2004052500.tif 000003
【図２】
2004052500.tif 000004
【図３】
2004052500.tif 000005
【図４】
2004052500.tif 000006
【図５】
2004052500.tif 000007
(57)【要約】【課題】気泡ポンプの揚水能力に加えて吐出量と水圧を上昇させるのが課題である。【解決手段】気泡ポンプのケーシング内周に横Ｌ字型螺旋状に上昇する気泡誘導翼を設け下部より気泡を送り込んで、気泡を含んだ水に回転運動をおこし遠心力を与えて水面で気泡が放散しても水はまだ充分な運動エネルギーを保持させることにより大きな吐出量と水圧が得られる。【選択図】　　図１
2004052744.tif 000002
【特許請求の範囲】
【請求項１】
底部に水の吸入口、上部に排水口を設け、内周に螺旋状に上昇する気泡誘導翼を有するケーシング底部に、気泡発生ノズルを設けた、吐出量と水圧を上昇させた遠心力気泡ポンプ。
【発明の詳細な説明】
【０００１】
【発明の属する技術分野】
本発明は、比重の差を利用した気泡ポンプの上昇途中の気泡の持つエネルギーを遠心力に変えて水に与え、気泡が大気中に放出された後も水は運動エネルギーとして保持し吐出量と水圧を上昇させる事を目的とした遠心力気泡ポンプに関する。
【０００２】
【従来の技術】
従来、池や魚類の養殖池、植物の栽培池、その他滞留水、ビオトープ等における水の循環には、電源を必要とする電動機付きポンプが使用され、その為感電漏電事故等が指摘され、更にケーシング内に異物が混入した場合の翼の破損等事故が起こりやすく、これの予防策として吸水口の前に濾過器を取り付けたりするが、この掃除に又手間がかかる等の問題があった。
これの解決策として気泡ポンプがあり、円筒状の装置に気泡を送るだけの簡単な構造のため異物が混入しても故障のおそれはないが、揚水能力は主として比重の差によるものであり、水が水面に放出されると同時に含有する気泡は大気中に放出され、水はその運動能力を停止する。従って揚水した水を遠く離れた地点に向けて放出し循環するという事はできなかった。
【０００３】
【発明が解決しようとする課題】
気泡ポンプにおける揚水能力に加えて、揚水した水を離れた地点まで送り出す送水圧力と同時に送水量を上昇させるのが目的である。
【０００４】
【課題を解決するための手段】
上記目的を達成するために本発明の遠心力気泡ポンプにおいては、底部に水の吸入口、上部に水の排水口を設け、ケーシング内周に横Ｌの字型、螺旋状に上昇する気泡誘導翼を設置し、此の誘導翼の下部より気泡を送り込むことにより水を回転させながら上昇させる。気泡を放出する放出角度は気泡誘導翼の上昇角度と一致する角度とし気泡の持つ上昇のエネルギーを遠心力として水に与え、水面上に出て気泡が放散しても尚充分に運動のエネルギーを保持し水を希望する方向に送り出し、同時に吐出量を上昇させることができる。
【０００５】
【発明の実施の形態】
発明の実施の一形態を図面を参照して説明する。
図１、図２は本発明の遠心力気泡ポンプの詳細を示す一例である。
ケーシング２の内側には横Ｌ字状の気泡誘導翼６が、上昇する４条螺旋となって取り付けられている。上部の回転カバー７は回動自在である為、これに取り付けられている排出口４は排水方向を自由に変えことができる。
底部には吸入口３が中央に設けられており必要により延長管を自由な方向に取り付け可能である。又エアーポンプ接続管１０を持つリング状の気泡発生ノズル５には多数の気泡発生のための孔があけられており、ここから放出される気泡の放出角度は気泡誘導翼の螺旋上昇角度と同じになるように形成されている。
気泡発生ノズル５より放出された気泡は４条螺旋を形成する気泡誘導翼６に包み込まれケーシング内壁に沿って猛烈な勢いで回転しながら水とともに上昇し水面に放出された時気泡は大気中に放散するが水は大なる運動エネルギーを与えられているため排出口から一定方向に猛烈な勢いで吐き出される。この時吐出される水の量は実験によれば通常の気泡ポンプの５倍以上である。
図２は４条螺旋の気泡誘導翼を示しており矢印は気泡を含んだ水の運動方向を示している。
【０００６】
図３に示す実施例では広い池の水を循環させる為の配置で通常なら滞留しがちな外周近くに吸水延長管をのばして遠心力気泡ポンプを運転させることで遠くは勿論近くまで酸素を充分補給された水に置換させることができる。
【０００７】
図４（ａ）に示す図は極く浅い水路のビオトープに設置した例でビオトープの底部を図４（ｂ）に示す様な断面形状で引き回す事により、延長管を敷設しないで満遍なく水を循環させる事ができる。
【０００８】
【発明の効果】
本発明は、以上説明したように構成されているので、以下に記載するような効果を奏する。
【０００９】
ケーシングの内周に横Ｌ字状の螺旋状に上昇する気泡誘導翼を取り付けることにより気泡発生ノズルから噴射した気泡は誘導翼に包まれた状態で急激な勢いで水と共に回転しながら上昇する。　この間に質量の大きな水は大なる遠心力を与えられ水面に出て気泡が大気中に放散した後も運動のエネルギーは持続し排出口から吐出する水量は通常の気泡ポンプの５倍以上である事が実験で確認されている。
【００１０】
吐出圧力が強い事は同時に吸引力も強い事で吸水延長管を取り付けることによって遠方の水を吸引循環させることができる。
【００１１】
吐出される水は自然に充分新しい空気と混合される為、古い水は循環することで同時に活性化され実験のたびに水が透明化されることが確認されている。
即ち騒音等の発生が無く、無公害で滞留水を活性化させることができる。
【００１２】
ポンプのケーシング内は機械的動作部分がなく又中心部分は空洞の為生きている魚、生物類は損傷を受けることなく素通りしてゆく。又水草、枯れ葉、ヘドロ等も吸引され通過することが実験で確認されている。
【００１３】
気泡発生の為のエアーポンプは地上離れた点に設置されればよく、エアーホースで遠心力気泡ポンプと繋ぐだけであるから、漏電、感電の心配はない。
【図面の簡単な説明】
【図１】遠心力気泡ポンプの一部切断斜視図である。
【図２】遠心力気泡ポンプの一部切断平面図である。
【図３】吸水延長管を使用した広範囲の循環浄化方式の図である。
【図４】広範囲な極く浅い水路のビオトープへの循環浄化方式の図である。
【符号の説明】
１　　遠心力気泡ポンプ
２　　ケーシング
３　　吸入口
４　　排出口
５　　気泡発生ノズル
６　　気泡誘導翼
７　　回転カバー
８　　エアーポンプ
９　　ビオトープ
１０　エアーポンプ接続管
１１　吸水延長管
１２　水路断面
【図１】
2004052744.tif 000003
【図２】
2004052744.tif 000004
【図３】
2004052744.tif 000005
【図４】
2004052744.tif 000006
(57)【要約】【課題】蒸し暑い夜の寝苦しさを解消する為に、扇風機に装着する水滴吸収機能付き保冷剤を提供する。【解決手段】水滴吸収素材２を備えた保冷剤１を、扇風機４の保護網３に装着する事により、簡単に冷風を作り出すようにする。【選択図】　　図１
2004052745.tif 000002
【特許請求の範囲】
【請求項１】
扇風機の保護網に装着することによって、送風を冷却する保冷剤。
【請求項２】
水滴の滴り防止を目的とした吸水素材を備えた保冷剤。
【発明の詳細な説明】
【０００１】
【発明の属する技術分野】
本発明は、蒸し暑い夜の寝苦しさを解消するため扇風機に装着する保冷剤に関するものである。
【０００２】
【従来の技術】
従来では、室内温度を低下させ快適性を高めるという観点から、エアコン・冷風扇風機が知られている。
【０００３】
【発明が解決しようとする課題】
エアコンは高価であり、場合によっては設置が困難である。
【０００４】
冷風扇風機も通常の扇風機に比べ高価な割りに、快適性の向上効果は低い。
【０００５】
【課題を解決するための手段】
本発明では、安価な通常の扇風機４に、水滴吸収素材２を備えた保冷剤１を装着することによって、簡単に冷風を作り出すことができるようにした。
【０００６】
【発明の実施の形態】
以下、本発明の実施の形態について説明する。
【０００７】
扇風機４の保護網３に、水滴吸収素材２を備えた保冷剤１を装着する。
【０００８】
保冷剤１は、長時間冷風を作り出すことを可能にする為に、溶けにくい素材を用いる。
【０００９】
保冷剤１は、扇風機４の保護網３への装着を可能にする為の部品５を備える。
【００１０】
保冷剤１に装着する水滴吸収素材２は、脱着可能にする事により、保冷剤としての使用も可能とする。また一方が消耗したときに、両方を購入する必要はないので経済的である。
【００１１】
【発明の効果】
高価なエアコンや、冷風扇風機を購入しなくても、通常の扇風機があれば容易に冷風を作り出すことが出来る。
【図面の簡単な説明】
【図１】本発明の使用状態を示す側面図である。
【図２】本発明の使用状態を示す正面図である。
【符号の説明】
１保冷剤
２水滴吸収素材
３保護網
４扇風機
５部品
【図１】
2004052745.tif 000003
【図２】
2004052745.tif 000004
(57)【要約】　　　（修正有）【課題】自然を利用した動力源の確保が、地球環境の汚染を防ぎ良い環境維持に添える物であり、その様な事が生物の安全確保を維持出来て安定した安全で安価な永久動力源を提供する。【解決手段】外壁１を地上高く構築した壁の中に発熱体２を設けて、上昇気流を発生させる、空気取り入れ口３より大気の流れを利用して風車、４を回転させて動力源を得る装置。一旦上昇を始めると上昇気流となって、普通では止まる事の無い永久の動力源の発生である。小型の設備構造物から大型の物迄、又、効率型の縦置きから点検の便利な横型等自由に設置出来る。【選択図】　　　　図１
2004052743.tif 000002
【特許請求の範囲】
【請求項１】
外壁（１）を地上高く構築した壁の中に発熱体（２）を設けて、上昇気流を発生させる、空気取り入れ口（３）より大気の流れを利用して風車、（４）を回転させて動力源を得る装置。
【発明の詳細な説明】
【０００１】
【発明の属する技術分野】
本発明は、空気を熱くした時に起こる上昇気流を利用した、自然現象である温暖大気上昇現象を利用する為、大気を壁で囲んで、煙突状の筒の中に誘導して上昇気流を発生させて、気流の流れを有効利用する装置である。装置の大型小型が簡単に作れる事に依り、小さな装置から膨大な装置まで、何処でも設置出来る物で、資源の消費も又地球環境の汚染も皆無である、安全で安定した安価な自然動力源が、永久に得る事が出来る気流発生維持装置である。天候気象等の自然変化に作用される事無く、安定した上昇気流を永久に発生させる。無変の動力源として、地球環境の変化を来す事無く、環境改善維持につながる機構設備と構造装置で、堅牢な物で周囲を囲み、強力な上昇気流を発生させて、風圧気流発電機の基礎と成す物である。装置も小な物から膨大な物まで、自由自在に選択出来るので、需要場所に依って大きさや容量を決める事が出来る。自然の永久動力源開発として、安定した動力源維持機構と構造装置に関する。
【０００２】
【従来の技術】
従来の自然現象利用物として煙突がある。煙突の構造は空気の流通を煙突によって、上昇気流を発生させて空気の流れを良くする、排煙を空高く上げて直接人畜に危害の無い様にした物だが、間接的には地球環境を悪い状態にしている。そこで人工的に上昇気流発生装置と気流維持設置をしてやれば、地球環境の汚染防止と安全な安定した動力源が永久に得る事が出来る。
【０００３】
【発明が解決しょうとする課題】
暖められた空気が上昇する、この様な自然現象を安全で安定した状態を作る様に、周囲を堅牢な物で囲み、出来るだけ高く上え延ばすと、最初は暖かい空気を送ると囲んだ筒の中で、継続して空気の上昇が起こる、後は止めない限り空気の上昇は止まらない。この継続した空気の流れを綺麗な動力の供給源として、発電設備に利用すれば資源の無消費、無害の永久動力源としての、地球環境の最良状態の維持に依って、自然破壊防止に寄与出来る。原理が自然その物なので変更出来ないほど、簡単なもので機構構造や、装置の製作も単純で簡単である。資源の消費が皆無であり、安価で安全で安定した自然の永久動力源にかんする。
【０００４】
本発明は、高い所に迄とどく様に、縦に長い堅牢な筒の中で、暖かい空気を下から入れると、暖かい空気は上昇して行く、後から入ってきた冷たい空気も、引っ張られて同じように上昇して行く、この様な自然現象を利用した、気流発生装置と気流維持装置を設置した設備で、筒の中の空気の流れが止まらない様にした物である。最初の暖かい空気が継続的な空気の、上昇気流を発生させ自然に流れが止まる事は無い。止まらない事が自然現象なので、そのような自然を利用した動力源の確保が、地球環境の汚染を防ぎ良い環境維持に添える物である。その様な事が生物の安全確保を維持出来る物であり。安定した安全で安価な永久動力源を提供する目的としている。
【０００５】
【課題を解決するための手段】
上記目的を達成する為に、本発明の上昇気流発生安定装置を自家発生動力源より供給する為、発生動力源の十分の一を蓄電池に蓄えて、始動時と気流不安定状態に備える。蓄電池は鉛蓄電池を使用、発生する水素気体及び酸素気体を吸収装置にて液体化保存する。安全性を確保して発生気体を有益資源として貯蔵、
【図面の簡単な説明】
【図１】上昇気流発生動力源発生維持装置の縦断面図である。
【図２】上昇気流発生動力源発生維持装置の平面図である。
【符号の説明】
１　外壁筒
２　電熱発熱体
３　大気流入口
４　動力発生用風車
５　発電機
【図１】
2004052743.tif 000003
【図２】
2004052743.tif 000004
(57)【要約】【課題】小型で安価な負圧正圧切換弁を得ること。【解決手段】弁ケーシング１に流体入口２と弁室３と負圧流体出口４と正圧流体出口５を形成する。弁室３内に負圧弁座１０と正圧弁座１１を設ける。それぞれの弁座１０，１１に対向して負圧弁体７と正圧弁体６を配置する。両弁体６，７は連結棒１２を介して一体に形成する。正圧弁体６の後方に引っ張りコイルバネ１７を取り付ける。流体入口２から負圧流体が弁室３内に流入すると、正圧弁体６が閉弁すると共に負圧弁体７が開弁して負圧流体出口４から負圧流体を所定箇所へ排出する。一方、正圧流体が流入すると、正圧弁体６が開弁して負圧弁体７が閉弁することによって正圧流体を正圧流体出口５から所定箇所へ排出する。【選択図】　　　　　　図１
2004052777.tif 000002
【特許請求の範囲】
【請求項１】
負圧状態の流体と正圧状態の流体をその圧力状態に応じて切り換えるものにおいて、流体入口と弁室と負圧流体出口と正圧流体出口を弁ケーシングに形成して、負圧流体出口と連通する負圧弁座を弁室内に配置し、正圧流体出口と連通する正圧弁座を弁室内に配置して、当該正圧弁座と負圧弁座に対向してそれぞれ正圧弁体と負圧弁体を配置すると共に、当該正圧弁体と負圧弁体を一体に形成して、正圧弁体を開弁方向へ又は負圧弁体を閉弁方向へ付勢する弾性部材を取り付けたことを特徴とする負圧正圧切換弁。
【発明の詳細な説明】
【０００１】
【発明の属する技術分野】
本発明は、大気圧以下の負圧状態の流体と、大気圧以上の正圧状態の流体を、それぞれの圧力状態に応じて自動的に切り換える負圧正圧切換弁に関する。
【０００２】
【従来の技術】
従来のこの種の切換弁としては、負圧流体管路と正圧流体管路にそれぞれ別個に開閉弁を配置して、負圧流体の場合は負圧流体管路に配置した開閉弁を開弁することにより負圧流体を負圧流体管路側へ供給し、一方、正圧流体の場合は正圧流体管路に配置した開閉弁を開弁して正圧管路側へ正圧流体を供給することが行われていた。
【０００３】
また、上記のように複数の開閉弁を配置する代わりに、１台の三方切換弁と圧力センサを組み合わせることによって、圧力センサで流体圧力が負圧であるのか正圧であるのかを検出して、三方切換弁を切り換えることが行われていた。
【０００４】
【発明が解決しようとする課題】
上記従来の切換弁では、複数の開閉弁あるいは圧力検出手段としての圧力センサを必要とするために、弁として大型化してしまい高価なものとなってしまう問題があった。
【０００５】
従って本発明の課題は、圧力センサを不要にして１台の弁によって、小型で安価な負圧正圧切換弁を得ることである。
【０００６】
【課題を解決するための手段】
上記の課題を解決するための手段は、負圧状態の流体と正圧状態の流体をその圧力状態に応じて切り換えるものにおいて、流体入口と弁室と負圧流体出口と正圧流体出口を弁ケーシングに形成して、負圧流体出口と連通する負圧弁座を弁室内に配置し、正圧流体出口と連通する正圧弁座を弁室内に配置して、当該正圧弁座と負圧弁座に対向してそれぞれ正圧弁体と負圧弁体を配置すると共に、当該正圧弁体と負圧弁体を一体に形成して、正圧弁体を開弁方向へ又は負圧弁体を閉弁方向へ付勢する弾性部材を取り付けたものである。
【０００７】
【発明の実施の形態】
流体入口から負圧流体が弁室内へ流入してくると、正圧弁体が正圧と負圧の圧力差に基づいて閉弁することによって、一体に形成した負圧弁体は開弁されて、負圧流体は負圧流体出口から所定箇所へ排出される。
【０００８】
一方、流体入口から正圧流体が流入してくると、弾性部材の弾性力によって正圧弁体が開弁すると共に負圧弁体が閉弁することにより、正圧流体は正圧流体出口から所定箇所へ排出される。
【０００９】
【実施例】
図１において、弁ケーシング１に流体入口２と弁室３と負圧流体出口４と正圧流体出口５を設けて、弁室３内に一体に形成した正圧弁体６と負圧弁体７とで負圧正圧切換弁を構成する。
【００１０】
流体入口２は連通路８によって弁室３と連通する。横長円筒状の弁室３内に断面略ロ字状の弁座部材９を変位しないように取り付ける。弁座部材９の左端部に円環状の負圧弁座１０を、反対の右端部には同じく円環状の正圧弁座１１を取り付ける。負圧弁座１０は負圧流体出口４と連通し、正圧弁座１１は正圧流体出口５と連通する。弁座部材９の中心部に、正圧弁体６と負圧弁体７を一体に連結する連結棒１２を、左右方向摺動自在に配置する。弁座部材９の左右壁面に複数の貫通孔１３，１４を設ける。
【００１１】
負圧弁座１０に対向して円板状の負圧弁体７を、同じく、正圧弁座１１に対向して円板状の正圧弁体６を、連結棒１２を介して一体に形成する。弁室３内の負圧流体出口４側端部にはリブ状の負圧弁体７用着座部１５，１６を設ける。着座部１５，１６はリブ状であるために、その周囲に流体の通過できる図示しないスペースを有する。
【００１２】
正圧弁体６の正圧流体出口５側に、弾性部材としての引っ張り状態のコイルバネ１７を取り付ける。図１に示す状態は、正圧流体出口５側の流体圧力によって引っ張りコイルバネ１７が更に伸長して正圧弁体６が弁座１１上に着座している状態を示す。
【００１３】
流体入口２から大気圧以下の負圧流体が弁室３内へ流入してくると、図１に示すように、正圧弁体６が正圧流体出口５側の正圧と弁室３内の負圧との圧力差に基づいて閉弁することによって、一体に連結した負圧弁体７が弁座１０から離座して開弁し、流入した負圧流体は貫通孔１３とリブ状着座部１５，１６の外周を通って負圧流体出口４から所定箇所へ排出される。
【００１４】
一方、流体入口２から大気圧以上の正圧流体が流入してくると、コイルバネ１７の引っ張り弾性力によって正圧弁体６が弁座１１から離座して開弁すると共に一体に連結された負圧弁体７が弁座１０へ着座して閉弁することにより、流入した正圧流体は貫通孔１４を通って正圧流体出口５から所定箇所へ排出される。
【００１５】
本実施例においては弾性部材として、正圧弁体６側に配置した引っ張りコイルバネ１７を用いた例を示したが、負圧弁体７と負圧流体出口４の間に圧縮コイルバネを用いることもできる。
【００１６】
【発明の効果】
本発明によれば、一体に形成した正圧弁体と負圧弁体、及び、弾性部材を用いることによって、圧力センサを不要にして１台の弁によって、小型で安価な負圧正圧切換弁とすることができる。
【図面の簡単な説明】
【図１】本発明の負圧正圧切換弁の実施例を示す断面図。
【符号の説明】
１　　弁ケーシング
２　　流体入口
３　　弁室
４　　負圧流体出口
５　　正圧流体出口
６　正圧弁体
７　負圧弁体
１０　負圧弁座
１１　正圧弁座
１２　連結棒
１３，１４　貫通孔
１５，１６　リブ状着座部
【図１】
2004052777.tif 000003